(57)【特許請求の範囲】
【請求項１】
商用交流電源を変換した電源出力を電源出力端子から出力する電源部と、
伝送線路を介して入力端子に供給されたテレビジョン放送信号を出力端子に供給し、電源入力端子に供給された電源出力を前記入力端子に供給する電源挿入部とを、
別々のケースに収容し、前記電源部の電源出力端子と前記電源挿入部の電源入力端子とが、伝送線路を介して接続可能とされ、
前記電源部の電源出力端子が設けられている前記電源部のケースの一面と、前記電源挿入部の電源入力端子が設けられている前記電源挿入部のケースの一面とが、互いに接触可能に形成され、この接触状態において、前記電源出力端子と前記電源入力端子とは、互いに直接に接続可能な相補な形状とされ、
前記電源部の電源出力端子は、雄型接栓と雌型接栓とが並んで配置され、前記電源挿入部の電源入力端子は、前記接触状態において前記雄型接栓の電源出力端子に接続される雌型接栓と、前記接触状態において前記雌型の接栓に接続される雄型接栓とを、有する共同受信施設用電源装置。
【発明の詳細な説明】
【０００１】
【発明の属する技術分野】
本発明は、共同受信施設において、ＵＨＦ及びＶＨＦアンテナで受信された地上波テレビジョン放送信号や、衛星放送及び衛星通信受信用アンテナで受信された衛星テレビジョン放送信号を伝送する伝送線路中に設けた増幅器や、衛星放送及び衛星通信受信用アンテナに付属するコンバータに、動作電力を伝送線路を介して伝送する電源装置に関する。
【０００２】
【従来の技術】
従来、上記のような電源装置を用いた共同受信施設としては、例えば図４に示すようなものがあった。ＶＨＦアンテナ２で受信されたＶＨＦテレビジョン放送信号と、ＵＨＦアンテナ４で受信されたＵＨＦテレビジョン放送信号とは、増幅器６によって増幅される。増幅器６の増幅出力は、４分配器８によって４分配され、電源挿入器１０を介してテレビジョン受像機１２に供給される。また、電源挿入器１０は、コンセント１４を介して商用交流電源に接続され、この商用交流電源から供給された交流電圧を直流電圧に変換する。この直流電圧は、４分配器８を介して増幅器６に供給され、増幅器６を動作させる。
【０００３】
このような共同受信施設において、例えば衛星放送受信用アンテナ１６を増設し、テレビジョン受像機１２によって衛星放送の受信も行う場合、増幅器６を、図５に示すように、ＵＨＦ及びＶＨＦテレビジョン放送信号を増幅するだけでなく、衛星放送受信用アンテナ１６からの衛星放送第１中間周波信号も増幅することができる増幅器６ａに変更すると共に、電源挿入器１０も、増幅器６ａ及び衛星放送受信用アンテナに付属したコンバータに直流電圧を供給することができる電源挿入器１０ａに変更する必要がある。この電源挿入器１０ａは、電源挿入器１０よりも電源容量の大きいものである。
【０００４】
電源挿入器１０、１０ａは、いずれも電源部と電源挿入部とを１つのケース内に設けたものである。電源部は、商用交流電源からの交流電圧を所定の値の直流電圧に変換するもので、出力電圧の値は同一であるが、増幅器６用の電源挿入器１０の電源部と、増幅器６ａ用の電源挿入器１０ａの電源部とでは、その電源容量が異なる。一方、電源挿入部は、電源挿入器１０、１０ａいずれにおいても、同一の構成であり、入力端子に供給されたテレビジョン放送信号を、テレビジョン受像機１２に接続される出力端子に供給すると共に、電源部に接続された電源入力端子からの直流電圧を入力端子に供給する。
【０００５】
【発明が解決しようとする課題】
しかし、上記のような電源挿入器１０、１０ａでは、電源部と電源挿入部とが一体に形成されている。従って、電源挿入器１０、１０ａの設置位置は、コンセント１４を商用交流電源に接続することができる位置に限られており、電源挿入器１０，１０ａの設置位置に自由度が少なかった。また、図４の状態から図５の状態に変更した場合、電源挿入器１０、１０ａの電源挿入部の構成は全く同一であるにも拘わらず、電源挿入器１０から電源挿入器１０ａに変更しなければならず、不経済であった。
【０００６】
本発明は、設置場所の自由度が高く、かつ経済的である電源挿入器を提供することを目的とする。
【０００７】
【課題を解決するための手段】
本発明による電源装置は、商用交流電源を変換した電源出力を電源出力端子から出力する電源部を有している。この電源出力としては、商用交流電源の電圧を低下させたもの、或いは商用交流電源の交流電圧を所定の値の直流電圧に変換したものを使用できる。この電源部としては、様々な電源容量を持つものの中から選択された任意の１つとすることができる。この電源挿入器は、さらに、伝送線路を介して入力端子に供給されたテレビジョン放送信号を出力端子に供給し、電源入力端子に供給された電源出力を前記入力端子に供給する電源挿入部も、有している。テレビジョン放送信号としては、ＵＨＦやＶＨＦの地上波信号の他に、衛星放送受信用アンテナや衛星通信受信用アンテナからの衛星放送第１中間周波信号、衛星通信第１中間周波信号のような衛星第１中間周波信号が含まれる。この他に、ＦＭラジオ放送信号やＣＡＴＶの自主放送信号が含まれることもある。入力端子に供給された電源出力は、入力端子に接続された伝送線路を介して、例えば増幅器に供給される。或いは、衛星放送または衛星通信受信用アンテナに付属するコンバータに、電源出力は供給される。これら電源部と電源挿入部とは、別々のケースに収容されている。即ち、電源部と電源挿入部とは、分離されている。電源部の電源出力端子と電源挿入部の電源入力端子とが、伝送線路を介して接続可能とされている。
【０００８】
この電源装置によれば、電源部と電源挿入部とが分離されているので、電源挿入部の設置位置を自由に選択することができる。また、この電源装置によって電源を供給する機器、例えば増幅器が、今まで使用されていたものから他のものに変更された場合、変更後の増幅器に対応した電源容量を持つものに電源部のみを変更すればよく、電源挿入部は、現在使用中のものをそのまま使用することができる。
【０００９】
前記電源部のケースの一面に電源出力端子を設けてある。前記電源挿入部のケースの一面に電源入力端子が設けられている。電源出力端子が設けられている面と、電源入力端子が設けられている面とが、互いに接触可能に形成されている。この接触状態において、電源出力端子と電源入力端子とは、互いに直接に接続可能な相補な形状とされている。
【００１０】
このように構成すると、電源部と電源挿入部とを一体型として使用することもできるし、分離型として使用することもできる。また、一体型として使用する場合でも、電源出力端子と電源入力端子とを電気的に接続することによって、同時に機械的にも接続することができ、しかも、この接続をごく簡単に行うことができる。
【００１１】
これに加えて、電源部の電源出力端子は、雄型接栓と雌型接栓とが並んで配置されている。電源挿入部の電源入力端子は、電源部と電源挿入部のケースの一面同士が接触している状態において、雄型の接栓に接続される雌型接栓と、雌型の接栓に接続される雄型接栓とを、それぞれ有している。
【００１２】
このように構成すると、電源部と電源挿入部との電気的及び機械的な接続は、電源部の雄型接栓及び電源挿入部の雌型接栓との接続、電源部の雌型接栓と電源挿入部の雄型接栓の接続の合計２カ所で行われ、各雄型接栓が位置決めとして機能するので、速やかに結合が行える。電源部と電源挿入部とを分離する場合も、比較的容易に行える。しかも、電源部と電源挿入部とを分離して使用する場合、電源部の雄型の接栓と電源挿入部の雄型接栓とを、これらに対応する雌型のコネクタを両端に設けた伝送線路によって接続することによって、電気的に電源部と電源挿入部とを容易に接続できる。
【００１３】
【発明の実施の形態】
本発明の１実施の形態の電源装置は、図１に示すように、電源部２０と、電源挿入部２２とを有している。電源部２０は、偏平な直方体のケース２４内に設けられている。このケース２４の内部には、図２に示すように、自動電圧調整器２６が配置されている。この自動電圧調整器２６は、コンセント２８を介して商用交流電源から供給された商用交流電圧を、予め定めた電圧、例えば＋１５Ｖの直流電圧に変換して、電源出力端子３０に供給するものである。この電源出力端子３０は、雄型接栓３０ａと雌型接栓３０ｂとが並列に接続されたものである。これら雄型接栓３０ａと雌型接栓３０ｂとは、図１に示すように、ケース２４の一方の側壁３３に露出するように設けられている。なお、この電源部２０は、図１に示すように電源容量が異なる複数種類のものが予め準備されている。
【００１４】
電源挿入部２２も、偏平な直方体のケース３２内に設けられている。このケース３２の一方の側壁には、入力端子３４と出力端子３６とが設けられている。入力端子３４、出力端子３６には、雄型及び雌型の接栓のうち任意のものを使用できる。入力端子３４には、図３に示すような増幅器３８から、テレビジョン放送信号、例えばＶＨＦまたはＵＨＦアンテナ４０によって受信された地上波テレビジョン放送信号を増幅器３８によって増幅したものが供給されている。入力端子３４と出力端子３６との間には、図２に示すように、直流阻止コンデンサ４２が接続されている。従って、入力端子３４に供給された地上波テレビジョン信号は、直流阻止コンデンサ４２を介して出力端子３６に供給される。図３に示すように、出力端子３６を例えば同軸ケーブルを介してテレビジョン受像機４４に接続することによって、入力端子３４の地上波テレビジョン信号は、テレビジョン受像機４４に供給される。
【００１５】
電源挿入部２２のケース３２の他方の側壁４６には、図１に示すように、電源入力端子４８が設けられている。この電源入力端子４８は、雌型接栓４８ａと雄型接栓４８ｂとの２つの接栓が並列に接続されているものである。図２に示すように、この電源入力端子４８と入力端子と３４との間には、図２に示すように、高周波阻止コイル５０が接続されている。この高周波阻止コイル５０を介して、電源入力端子４８に供給された直流電圧が入力端子３４に供給される。なお、５２はコンデンサを示し、直流阻止コンデンサ５０と共にローパスフィルタを構成している。
【００１６】
電源部２０のケース２４の側壁３３と、電源挿入部３２のケース３２の側壁４６とは、同一形状に形成されている。これら側壁３３と４６とを互いに重なり合うように接触させた状態において、電源部２０の電源出力端子である雄型接栓３０ａと、電源挿入部２２の電源入力端子である雌型接栓４８ａとが互いに接続されるように、両者の位置が決定されている。電源部２０の電源出力端子である雌型接栓３０ｂと、電源挿入部２２の電源入力端子である雄型接栓４８ｂも同様に、側壁３３と４６との接触状態において両者が接続されるように、設置位置が決定されている。
【００１７】
なお、地上波テレビジョン信号だけでなく、衛星第１中間周波信号等が入力端子３４に供給された場合でも、出力端子３６に地上波テレビジョン信号と衛星第１中間周波信号を支障無く供給することができ、かつ電源入力端子４８に供給された直流出力が支障無く入力端子３４に供給されるように、直流阻止コンデンサ４２や高周波阻止コイル５０、コンデンサ５２の値は、選択されている。
【００１８】
このように構成された電源装置では、例えば電源部２０と電源挿入部２２とを一体として使用する場合には、図１に示すように、ケース２４の側壁３３とケース３２の側壁４６とを重ね合わせる。これによって、矢印Ａで示すように電源部２０の雄型接栓３０ａと電源挿入部２２の雌型接栓４８ａとが接続され、かつ電源部２０の雌型接栓３０ｂと電源挿入部２２の雄型接栓４８ｂとが接続される。従って、電気的に電源部２０と電源挿入部２２とが接続された上に、機械的にも両者が接続される。しかも、雄型接栓３０ａと４８ｂとが位置決めとして機能するので、両者を容易に一体にすることができるし、また、両者の分離も容易に行える。
【００１９】
また、地上波のみの受信状態から衛星放送等の追加受信状態とするために、増幅器３８を、衛星放送第１中間周波信号も増幅可能な他の増幅器に交換した場合、現在使用している電源部２０では、交換された増幅器に対して電源部２０の電源容量が不足することがある。このとき、図１に矢印Ｂで示すように、交換される増幅器に対応した電源容量を持つ別の電源部２０を使用する。但し、電源挿入部２２は、現在使用中のものをそのまま使用できる。従って、電源部２０の交換のみですみ、経済的である。
【００２０】
また、電源部２０と電源挿入部２２とを分離することができるので、電源部２０は、例えば商用交流電源の近傍に配置し、電源挿入部２２を任意の位置に配置することができる。即ち、電源挿入部２２の配置の自由度が大きい。この場合、電源入力端子３０と電源出力端子４８との電気的接続が必要である。この接続は、２つの電源入力端子４８ａ、４８ｂの一方と、電源出力端子３０ａ、３０ｂの一方とを接続することによって行える。
【００２１】
しかし、例えば図３に示すように、電源出力端子３０ａのような雄型接栓と、電源入力端子４８ｂのような雄型接栓同士を接続することが望ましい。この場合、両雄型接栓を接続する伝送線路、例えば同軸ケーブルに、この同軸ケーブルの両端に雌型接栓をそれぞれ有するものを使用することによって、この接続を容易に行うことができる。分離使用する場合でも、増幅器３８の交換に従って電源部２０を他の容量のものに変更することができ、電源挿入部２２は、現在使用中のものをそのまま使用することができる。
【００２２】
上記の実施の形態では、電源部２０は、いずれも直流電圧を発生するものとしたが、使用する増幅器によっては、商用交流電圧を降圧した交流電圧を発生するものとすることもできる。また、上記の実施の形態では、電源部２０は、増幅器に動作電圧を供給したが、場合によっては衛星放送や衛星通信受信用のアンテナに付属するコンバータに動作電圧を供給してもよい。
【００２３】
【発明の効果】
以上のように、本発明による電源装置では、電源挿入部と電源部とが分離可能であるので、電源挿入部の設置位置に自由度があり、かつ動作電圧を供給する機器の変更に応じて電源部のみを変更できるので、経済的である。
【図面の簡単な説明】
【図１】本発明の第１の実施の形態の電源装置の斜視図である。
【図２】図１の電源装置の回路図である。
【図３】図１の電源装置を電源部と電源挿入部とに分離して使用した状態の回路図である。
【図４】従来の電源装置の一例の使用状態を示すブロック図である。
【図５】従来の電源装置の他の例の使用状態を示すブロック図である。
【符号の説明】
２０  電源部
２２  電源挿入部
２４  電源部のケース
３０  電源出力端子
３２  ケース（電源部のケース）
３４  入力端子
３６  出力端子
４８  電源入力端子
【図１】
0004312893.tif 000002
【図２】
0004312893.tif 000003
【図３】
0004312893.tif 000004
【図４】
0004312893.tif 000005
【図５】
0004312893.tif 000006